(57)【要約】【課題】液晶モニタ多数多段設置において、２段目設置１７インチモニタの最上端高を、成人男子の平均眼高１１９０ｍｍ以下に成し得る液晶モニタ多数多段設置構造を、視やすくかつ安価に、省スペースを実現して提供する。【解決手段】  上端に吊着機能部を備え途中に屈曲部を有するモニタ支持基体と、モニタを装着する機能を有するモニタ取付板と、モニタ取付板をモニタ支持基体に挟着する機能を有する固定板とで構成したモニタ装着手段を、組立棚の上段棚後方と下段棚前方間に架け渡すことによって解決する。【選択図】図１
2008046575.tif 000002
【特許請求の範囲】
【請求項１】
複数以上の液晶モニタ保持機能を具備するモニタ装着手段を、組立棚の上段棚後方と下段棚前方間に架け渡し、該モニタ装着手段前面に液晶モニタを装着することを特徴とする、組立棚を利用した液晶モニタ多数多段設置方法。
【請求項２】
下段モニタ上端と上段モニタ下端を重ね設置する［請求項１］記載の組立棚を利用した液晶モニタ多数多段設置方法。
【請求項３】
請求項１のモニタ装着手段を、上端に吊着機能部を備え途中に屈曲部を有するモニタ支持基体と、モニタを装着する機能を有するモニタ取付板と、モニタ取付板をモニタ支持基体に挟着する機能を有する固定板とで構成した、組立棚を利用した液晶モニタ多数多段設置構造。
【請求項４】
請求項１を用いて構成した液晶モニタ多数多段設置構造
【発明の詳細な説明】
【技術分野】
【０００１】  組立棚には各種あるが、代表的な市販例に、棚を鋼線、四隅の支柱を鋼管で構成したもの（通称メタルラック等、以下、ラックと略記）がある。堅牢・低価格・小刻みな棚位置可変等で人気が高い。本発明は、これら市販の組立棚または特製の組立棚を利用して、液晶モニタ（液晶ディスプレイ）多数を多段に設置する方法及びその構造を低コストで提供しようとするものである。
【背景技術】
【０００２】  コンピュータによって株価、治安、気象その他の状況を監視する場合、一人で多数の液晶モニタ（１７インチサイズのものが省スペースとコストの点で最も普及している。）を視る必要があり、そのための汎用的な多数設置手段としては通称「モニタアーム」と呼ばれる商品がある。該モニタアームは既存の机等の後端に取付け、ほぼ垂直にモニタを装着して使用するのであるが、その場合、液晶モニタ（以下、モニタと略記）は視易さの点から３台までは１段、４台以上の場合は下段に２台、上段に２台、６台の場合は同様に上下段に３台ずつ設置する。８台の場合も４台ずつ２段に設置する。しかし、机高６８５ｍｍの机に取付けた場合、上段のモニタは監視者の眼の位置（座位時眼高、以下、眼高という）よりかなり高くなる。たとえば、モニタ枠高が３１５ｍｍの１７インチモニタの場合は、２段設置時のモニタ最上端高は１３２５ｍｍ（机高６８５＋取付金具厚１０＋モニタ枠高３１５＋３１５＝１３２５ｍｍ）となる。
【発明の開示】
【発明が解決しようとする課題】
【０００３】  上記設置時のモニタ最上端高１３２５ｍｍは、成人男子及び女子の座位時平均眼高、それぞれ１１９０ｍｍ、１１１０ｍｍに比べてかなり高く、上段のモニタを視るときは見上げる状態になる。見上げる姿勢は首が疲れやすく、頚椎ヘルニア等の労働障害が起こりやすい。モニタ幅は３７０ｍｍほどであるが、８台監視時に横に４台並べると１４８０ｍｍとなり、場所を取る上に一望に見渡しにくい。という問題も生じ、９台設置も実用上は困難になる。
【課題を解決するための手段】
【０００４】  上記課題を解決するために本発明は、２段目設置のモニタ最上端高を、成人男子の平均眼高１１９０ｍｍ以下にし、さらに、従来の方法では実用上無理であったモニタの９台設置を可能にし、３段に９台設置してもモニタ画面最上端高を１３８５ｍｍになし得る方法並びに構造を提供するものである。さらに横幅も１１１０ｍｍ（３７０×３）におさめることができる。そのために、イ．モニタは２段までは後方に傾斜させて設置する。ロ．３段目のモニタは前方に傾斜させて設置する。ハ．安価に提供するために、市販のラックその他の組立棚を利用する。を解決の骨子としている。
【発明の効果】
【０００５】  本発明は前記課題を解決し、モニタが６台までは常に見下ろす姿勢で使用でき、視やすく、眼や首の疲れを軽減する。人間工学上も見上げるよりも見下ろす方が楽な姿勢であり、労働障害防止に有益な液晶モニタ多数設置構造を実現できる。また、市販の棚位置可変ラックを利用できるので、ユーザーはモニタ設置高を自分の体位に合わせることが簡単にでき、結果として、健康によい液晶モニタ多数設置構造並びに多段多画面表示パソコンデスクを、低価格で得ることができる。さらに、従来方法では無理であった９台のモニタを視やすく一望できる、幅１２００ｍｍ以内の省スペースパソコンデスクも得られる。
【発明を実施するための最良の形態】
【０００６】  ＶＥＳＡ規格に準拠したモニタには、その背面にモニタアーム等に取付けるための４個の取付ネジ穴が設けてある（穴間は１００×１００または７５×７５ｍｍ）。本発明はこのネジ穴を利用してモニタＭを締着する。
【実施例１】
【０００７】  実施例１を図１、２，３において説明する。図１は代表的な組立棚であるラックを利用した使用状態の側面図（ラックだけは断面）、図２は図１中のＡ−Ａ矢視図、図３は図２中のＢ−Ｂ断面図である。上端に吊着機能部２ａを備え、途中に屈曲部２ｂを有するモニタ支持基体２を２個、モニタを装着する機能を有するモニタ取付板３をモニタ数の２倍、及びモニタ取付板３をモニタ支持基体２に挟着する機能を有する固定板４をモニタ数の４倍とで、モニタ装着手段１を１セット構成する。１セットでモニタＭを３台まで装着でき、３セット用いればモニタＭは最大９台設置できる。
吊着機能部２ａは中央部にネジ穴を有する金具２ａａとネジ部２ａｂとで構成する。モニタ支持基体２を棒体で形成した場合は、該ネジ部は滑り止めのために全長にわたって施してもよい。もちろん、モニタ支持基体２は板材で形成することもできる。なお、モニタＭを２段以上に設置しない場合は、モニタ支持基体２はＤ付近で切って短く作る。【０００８】  本発明を使用するには、図１のように、モニタ装着手段１上端部の吊着機能部２ａを上段棚Ｔｕの後方に吊り架け、下端部２ｃは下段棚Ｔｓの前方に当接する。すなわち、モニタ装着手段１を組立棚の上段棚Ｔｕ後方と下段棚Ｔｓ前方間に架け渡す。上段棚がワイヤ構造ではなく板状であれば、金具２ａａを外してモニタ支持基体２の上端を板に貫通させてナットで固定する。下端部２ｃは板に単に載せるか穴を開けて貫通させる。吊着機能部２ａの吊り架け位置をずらすと、モニタ角度は可変できる。【０００９】  モニタＭの装着は、まず、モニタＭ背面に既設の取付ネジ穴にモニタ取付板３を２個、締結ネジＳ４本で締結する。次にモニタ支持基体２を挟んで固定板４を４個、モニタ取付板３に締結ネジＳ８本で締結する。なお、モニタを動作させるコンピュータ本体は、必要に応じて上段棚Ｔｕの上や最下段棚Ｔｅの上に設置する。【０００１０】  キーボードテーブルＴｋ高を６８５ｍｍ、下段棚Ｔｓ高を６１０ｍｍに設定し、モニタ枠高３１５ｍｍの１７インチモニタを図１のように設置すれば、２段目設置モニタＭ２の最上端高はほぼ１０９０ｍｍとなる。なお、ユーザーが女性や低身長の場合には設置高を低くすることもできる。例えばキーボードテーブルＴｋ高を６６０ｍｍ、下段棚Ｔｓ高を５８５ｍｍに設定する。そうすれば２段目設置モニタＭ２の最上端高は１０６５ｍｍとなり、成人女子の平均眼高１１１０ｍｍよりも４５ｍｍ低くなる。いうまでもないが、視る頻度の低いモニタは３段目に設置する。【０００１１】  図１において、モニタＭ１上端とモニタＭ２下端とは、設置位置をより低くするために重ね設置してある。図示はしていないが、モニタＭ２上端とモニタＭ３下端も同様に重ね設置すれば、モニタ画面最上端高１３８５ｍｍをさらに２０ｍｍ低くできる。
【産業上の利用可能性】
【０００１２】  一人で多数の液晶モニタを監視する業務を必要とするあらゆる業界・業務において利用でき、労働衛生上も有意義であり、構造簡単なため低コストで提供できるので大きな普及が見込め、産業上の利便効果は大きい。
【図面の簡単な説明】
【０００１３】
【図１】実施例１使用状態の側面図
【図２】図１中のＡ−Ａ矢視図
【図３】図２中のＢ−Ｂ断面図
【符号の説明】
【０００１４】    １      モニタ装着手段
２      モニタ支持基体
２ａ    吊着機能部
２ａａ  金具
２ａｂ  ネジ部
２ｂ    屈曲部
２ｃ    下端部
３      モニタ取付板
４      固定板
Ｄ      ２段設置時のモニタ支持基体上端
Ｔｕ    上段棚
Ｔｓ    下段棚
Ｔｅ    最下段棚
Ｔｋ    キーボードテーブル
Ｍ      モニタＭ１、Ｍ２、Ｍ３の総称
Ｍ１    １段目設置モニタ
Ｍ２    ２段目設置モニタ
Ｍ３    ３段目設置モニタ
Ｓ      締結ネジ
【図１】
2008046575.tif 000003
【図２】
2008046575.tif 000004
【図３】
2008046575.tif 000005